(57)【要約】【課題】使い勝手が向上したカメラ等を提供する。【解決手段】カメラ（１）を、入力部（１５）と、照明光照射装置（１８）の発光用エネルギーを蓄積する蓄電部（１９）の充電状態を監視するとともに、蓄電部の充電が完了する前に入力部に対して入力操作がされた場合に撮影予約を受け付け、かつ、蓄電部の充電完了に応じて撮影動作を開始させる制御部（２０）とを備える構成とした。【選択図】図１
2009014924.tif 000002
【特許請求の範囲】
【請求項１】
入力部と、
照明光照射装置の発光用エネルギーを蓄積する蓄電部の充電状態を監視するとともに、前記蓄電部の充電が完了する前に前記入力部に対して入力操作がされた場合に撮影予約を受け付け、かつ、前記蓄電部の充電完了に応じて撮影動作を開始させる制御部と
を備えるカメラ。
【請求項２】
請求項１に記載のカメラにおいて、
前記制御部が前記撮影予約を受け付けた場合に、この旨を告知する告知部をさらに備えること
を特徴とするカメラ。
【請求項３】
請求項１又は請求項２に記載のカメラにおいて、
前記蓄電部の充電状態の経過を視認可能に表示する表示部をさらに備えること
を特徴とするカメラ。
【請求項４】
請求項２に記載のカメラにおいて、
前記蓄電部の充電状態の経過を視認可能に表示する表示部をさらに備え、
前記告知部が行う前記告知は、前記充電状態の経過と併せて前記表示部に視認可能に表示されること
を特徴とするカメラ。
【請求項５】
請求項３又は請求項４に記載のカメラにおいて、
前記表示部は、露出値に関する情報を表示可能なインジケータを備え、
前記充電状態の経過は、前記インジケータに表示されること
を特徴とするカメラ。
【請求項６】
請求項１から請求項５までのいずれか１項に記載のカメラにおいて、
前記制御部は、前記撮影予約を受け付けた状態で前記入力部に対して再度入力操作されると、これに応じて当該撮影予約の取り消し制御を行うこと
を特徴とするカメラ。
【請求項７】
請求項１から請求項６までのいずれか１項に記載のカメラにおいて、
前記撮影予約を受け付けた状態であって前記撮影動作の開始前に、オートフォーカス制御、自動露出制御、及び、像振れ補正制御の少なくともひとつの制御を行うこと
を特徴とするカメラ。
【請求項８】
カメラと、
前記カメラに対して通信可能に接続される外付け型の照明光照射装置と、
前記カメラに備えられた入力部と、
前記カメラに備えられ、前記照明光照射装置の発光用エネルギーを蓄積する蓄電部の充電状態を監視するとともに、前記蓄電部の充電が完了する前に前記入力部に対して入力操作がされた場合に撮影予約を受け付け、かつ、前記蓄電部の充電完了に応じて撮影動作を開始させる制御部と、
前記照明光照射装置に備えられ、前記制御部が前記撮影予約を受け付けた場合にこの旨を告知する告知部と
を備える撮影システム。
【請求項９】
請求項８に記載の撮影システムにおいて、
前記照明光照射装置は、前記蓄電部の充電状態の経過を視認可能に表示する表示部をさらに備えること
を特徴とする撮影システム。
【請求項１０】
請求項８に記載の撮影システムにおいて、
前記照明光照射装置は、前記蓄電部の充電状態の経過を視認可能に表示する表示部をさらに備え、
前記告知部が行う前記告知は、前記充電状態の経過と併せて前記表示部に視認可能に表示されること
を特徴とする撮影システム。
【発明の詳細な説明】
【技術分野】
【０００１】
本発明は、カメラ及び撮影システムに関するものである。
【背景技術】
【０００２】
カメラに使用される照明光照射装置は、コンデンサのリサイクルタイムを表示して、撮影者にコンデンサの充電完了のタイミングを告知するものが知られている（例えば、特許文献１参照）。
【特許文献１】実開平５−７９５４８号公報
【発明の開示】
【発明が解決しようとする課題】
【０００３】
この従来の照明光発光装置を用いたカメラは、充電完了の後、直ちに撮影者がレリーズ操作を行って撮影を開始することができるので使い勝手が向上するが、充電完了後により速やかに撮影を行うことのできるより使い勝手が向上したカメラが望まれている。
本発明の課題は、使い勝手が向上したカメラ及び撮影システムを提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、入力部（１５）と、照明光照射装置（１８）の発光用エネルギーを蓄積する蓄電部（１９）の充電状態を監視するとともに、前記蓄電部の充電が完了する前に前記入力部に対して入力操作がされた場合に撮影予約を受け付け、かつ、前記蓄電部の充電完了に応じて撮影動作を開始させる制御部（２０）とを備えるカメラ（１）である。
【０００５】
請求項２の発明は、請求項１に記載のカメラにおいて、前記制御部（２０）が前記撮影予約を受け付けた場合に、この旨を告知する告知部（１６）をさらに備えることを特徴とするカメラ（１）ある。
請求項３の発明は、請求項１又は請求項２に記載のカメラにおいて、前記蓄電部（１９）の充電状態の経過を視認可能に表示する表示部（１６）をさらに備えることを特徴とするカメラ（１）である。
請求項４の発明は、請求項２に記載のカメラにおいて、前記蓄電部（１９）の充電状態の経過を視認可能に表示する表示部（１６）をさらに備え、前記告知部（１６）が行う前記告知は、前記充電状態の経過と併せて前記表示部に視認可能に表示されることを特徴とするカメラ（１）である。
請求項５の発明は、請求項３又は請求項４に記載のカメラにおいて、前記表示部（１６）は、露出値に関する情報を表示可能なインジケータ（１６ｅ）を備え、前記充電状態の経過は、前記インジケータに表示されることを特徴とするカメラ（１）である。
請求項６の発明は、請求項１から請求項５までのいずれか１項に記載のカメラにおいて、前記制御部（２０）は、前記撮影予約を受け付けた状態で前記入力部（１５）に対して再度入力操作されると、これに応じて当該撮影予約の取り消し制御を行うことを特徴とするカメラ（１）である。
請求項７の発明は、請求項１から請求項６までのいずれか１項に記載のカメラにおいて、前記撮影予約を受け付けた状態であって前記撮影動作の開始前に、オートフォーカス制御、自動露出制御、及び、像振れ補正制御の少なくともひとつの制御を行うことを特徴とするカメラ（１）である。
【０００６】
請求項８の発明は、カメラ（３０）と、前記カメラに対して通信可能に接続される外付け型の照明光照射装置（４０）と、前記カメラに備えられた入力部（１５）と、前記カメラに備えられ、前記照明光照射装置の発光用エネルギーを蓄積する蓄電部（４１）の充電状態を監視するとともに、前記蓄電部の充電が完了する前に前記入力部に対して入力操作がされた場合に撮影予約を受け付け、かつ、前記蓄電部の充電完了に応じて撮影動作を開始させる制御部（２０）と、前記照明光照射装置に備えられ、前記制御部が前記撮影予約を受け付けた場合にこの旨を告知する告知部（４３）とを備える撮影システム（２）である。
請求項９の発明は、請求項８に記載の撮影システムにおいて、前記照明光照射装置（４０）は、前記蓄電部（４１）の充電状態の経過を視認可能に表示する表示部（４３）をさらに備えることを特徴とする撮影システム（２）である。
請求項１０の発明は、請求項８に記載の撮影システムにおいて、前記照明光照射装置（４０）は、前記蓄電部（４１）の充電状態の経過を視認可能に表示する表示部（４３）をさらに備え、前記告知部（４３）が行う前記告知は、前記充電状態の経過と併せて前記表示部に視認可能に表示されることを特徴とする撮影システム（２）である。
なお、符号を付して説明した構成は、適宜改良してもよく、また、少なくとも一部を他の構成物に代替してもよい。
【発明の効果】
【０００７】
本発明によれば、使い勝手が向上したカメラ及び撮影システムを提供することができる。
【発明を実施するための最良の形態】
【０００８】
［第１実施形態］
以下、図面を参照して、本発明を適用したカメラの実施形態について説明する。
図１は、第１実施形態のカメラの構成を示すブロック図である。
第１実施形態のカメラ１は、撮影レンズ１０、撮像部１１、ミラー１２、ファインダ光学系１３、シャッタ１４、レリーズボタン１５、表示部１６、バッテリー１７、内蔵スピードライト１８、コンデンサ１９、及び、制御部２０を備えている。
【０００９】
撮影レンズ１０は、複数のレンズ群を備えている。複数のレンズ群には、例えば、フォーカスレンズ群１０ａ、振れ補正レンズ群１０ｂ等が含まれている。
フォーカスレンズ群１０ａは、例えば、後述する制御部２０からのＡＦ（オートフォーカス）信号に応じて光軸Ａｘ方向に進退動作を行う。撮影レンズ１０は、これによって、例えば、主要な被写体に対してフォーカシングするようになっている。振れ補正レンズ群１０ｂは、例えば、制御部２０からの像振れ補正信号に応じて光軸Ａｘに垂直な平面内で、撮像部１１に結像される被写体像の像振れを打ち消す方向に移動（シフト）する。
【００１０】
撮像部１１は、その結像面に撮影レンズ１０を通過した被写体光が露光されると、この被写体光を電気信号に変換して出力する光−電気変換素子である。撮像部１１には、例えば、ＣＣＤやＣＭＯＳ等を使用することができる。
【００１１】
ミラー１２は、後述するレリーズボタン１５の全押し操作に応じて、被写体光を後述するファインダ光学系１３に反射する反射位置（図１中実線で示す位置）から、被写体光の光路から退避した退避位置（図１中破線で示す位置）へ移動するようになっている。
【００１２】
ファインダ光学系１３は、撮影者がフレーミング時（構図決定時）に被写体像を観察する部分であり、反射位置のミラー１２によって反射された被写体光を結像するスクリーン１３ａと、スクリーン１３ａに結像された被写体像を正立像にして後述する接眼部１３ｃに導くプリズム１３ｂと、フレーミング時に撮影者が眼を接近させる接眼部１３ｃと、スクリーン１３ａに隣接して配置された表示装置１３ｄとを備えている。
【００１３】
シャッタ１４は、撮像部１１に対する被写体光の露光時間を制御する機構であり、後述するレリーズボタン１５が全押し操作された場合に開閉動作を行う。
レリーズボタン１５は、撮影者によって操作される押しボタンスイッチであり、入力部として機能する。レリーズボタン１５は、半押し操作（ファーストレリーズ操作）及び全押し操作（セカンドレリーズ操作）の２段階の操作が可能となっている。
【００１４】
表示部１６は、例えば、撮影済み画像やメニュー画面等を表示する部分である。
ここで、本実施形態のカメラ１は、ライブビュー機能を備えている。ライブビュー機能とは、撮像部１１を常時露光状態にして動画像を撮影し、この動画像を表示部１６に略リアルタイムで表示することによって、静止画撮影時の構図決定を行うことができるようにするものである。ライブビュー時に表示部１６に表示される動画像は、スルー画像と称されている。本実施形態のカメラ１は、撮影時にファインダ光学系１３を使用してフレーミングを行う撮影モードと、スルー画像を確認しながらフレーミングを行う撮影モードとが選択可能になっている。
【００１５】
また、表示部１６は、スルー画像と併せて表示画面の一部に撮影条件等の各種情報を表示できるようになっている。
図２は、図１に示すカメラに備えられた表示部の表示画面の一例を示す図である。
表示部１６は、表示画面の下部に形成された帯状の領域に、例えば、合焦マーク１６ａ、測光モード１６ｂ、シャッタスピード１６ｃ、絞り値１６ｄ、露出インジケータ１６ｅ、撮像部１１の撮像感度１６ｆ、撮影可能コマ数１６ｇ、発光可否マーク（レディライト）１６ｈ等を表示する。このような各種情報は、ファインダ光学系１３のスクリーン１３ａに隣接して設けられた表示装置１３ｄにも略同じ態様で表示され、ファインダ光学系１３を用いてフレーミングを行う場合にも撮影者に対して提示される。
【００１６】
ここで、露出インジケータ１６ｅは、例えば、マニュアルモードで撮影を行う際に撮影者が設定したシャッタスピードと絞り値とから演算される露出値と、ＡＥセンサＳ２の出力に応じて演算された露出値との差を表示する。発光可否マーク１６ｈは、例えば、フル発光後等にコンデンサ１９の電圧（蓄電量）が低下した場合に消灯し、フル発光が可能な程度までコンデンサ１９が充電されると、これに応じて点灯する。
【００１７】
図１に示すように、バッテリー１７は、カメラを構成する各電気要素の電源として機能するものである。
内蔵スピードライト１８は、撮影時に被写体等に対して照明光を照射するものであり、照明光照射装置として機能する。内蔵スピードライト１８は、例えば、キセノン（Ｘｅ）ランプ１８ａ等の発光源を備えている。
コンデンサ１９は、バッテリー１７から電力の供給を受けることによって、内蔵スピードライト１８の発光用エネルギーを蓄電するようになっており、蓄電部として機能する。
【００１８】
制御部２０は、カメラ１に含まれる各電気要素を統括的に制御する部分である。
制御部２０は、例えば、レリーズボタン１５が全押し操作されると、これを検出して撮影動作を制御する。ここで、撮影動作とは、撮像部１１に結像された被写体像を記録（撮影）する動作を意味し、本実施形態のカメラにおいては、例えば、ミラー１２の退避位置への移動、シャッタ１４の開閉等の動作が含まれる。
【００１９】
また、制御部２０は、コンデンサ１９の電圧をリアルタイムで検出する電圧検出回路を備えている（電源検出回路は、図示を省略する）。そして、例えば、内蔵スピードライト１８がフル発光を行う等してコンデンサ１９の電圧が低下した場合には、制御部２０は、コンデンサ１９の充電を優先して、レリーズボタン１５の全押し操作がされた場合であっても撮影動作を開始させない制御を行う。
【００２０】
このように充電中に撮影を制限する一方で、本実施形態の制御部２０は、コンデンサ１９の充電中にレリーズボタン１５の全押し操作を検出した場合には、コンデンサ１９の充電後、即座に撮影動作を開始できるように撮影予約を受け付けるようになっている。制御部２０は、コンデンサ１９の電圧を監視し、充電が完了すると、これに応じて速やかに撮影動作を開始させる制御を行う。
【００２１】
次に、本実施形態のカメラ１を用いて撮影を行う際に制御部２０が行う制御を、フローチャート及び表示部の表示画面の一例を参照して説明する。なお、本実施形態では、ライブビューモードで撮影を行う場合を説明する。
図３は、図１に示すカメラに備えられた制御部が行う撮影時の制御を示すフローチャートである。
図４は、図２に示す表示部に表示されるコンデンサの充電状態の経過の一例を示す図である。
以下、図３のフローチャートを参照してステップ毎に説明する。
【００２２】
（ステップＳ０１：コンデンサ要充電判定）
制御部２０は、コンデンサ１９の電圧を検出し、撮影時に内蔵スピードライト１８を充分な発光量で発光させるためには充電が必要であると判定した場合には、ステップＳ０２に進み、充電を行わなくても十分な発光量で発光を行うことができると判定した場合には、ステップＳ１４に進む。
【００２３】
（ステップＳ０２：充電開始）
制御部２０は、コンデンサ１９に対する充電の開始と併せて、コンデンサ１９の充電状態の経過の表示を行う。充電状態の経過は、図４に示すように、表示部１６の露出インジケータ１６ｅにカウントダウン表示される。
露出インジケータ１６ｅは、充電開始時には、図４（１）に示すように、露出インジケータ１６ｅを形成する目盛りのすべてが表示される。そして、制御部２０は、コンデンサ１９の電圧が増加するにしたがって、図４（２）〜（５）に示すように、除々に目盛りの表示を消灯させ、充電が完了した場合には、図４（６）に示すように、露出インジケータ１６ｅ自体を消灯させる。なお、ファインダ光学系１３を用いてフレーミングを行う場合、このカウントダウン表示は、前述した表示装置１３ｄに同様に表示され、表示装置１３ｄは、表示部として機能する。
【００２４】
（ステップＳ０３：全押し操作検出）
制御部２０は、コンデンサ１９の充電中にレリーズボタン１５の全押し操作を検出した場合には、ステップＳ０４に進み、全押し操作を検出しない場合には、ステップＳ１２に進む。
【００２５】
（ステップＳ０４：撮影予約受付）
制御部２０は、レリーズボタン１５の全押し操作に応じて撮影予約を受け付け、ステップＳ０５に進む。
（ステップＳ０５：撮影予約受付表示）
制御部２０は、図２に示すように、表示部１６の一部に予約を受け付けた旨の表示Ｎを行って、撮影者等に対して撮影予約を受け付けた旨の告知を行う（ステップＳ０６に進む）。この告知は、文字やマークを表示することによって行うことができるが、本実施形態では、例えば、「撮影予約受付済」という文字を表示部１６に表示し、表示部１６は、告知部として機能する。なお、ファインダ光学系１３を用いてフレーミングを行う場合、撮影予約を受け付けた旨の告知は、例えば、表示装置１３ｄに文字やマークを表示するとよい。
【００２６】
（ステップＳ０６：全押し操作検出）
制御部２０は、コンデンサ１９の充電中（カウントダウン表示中）に、再度レリーズボタン１５の全押し操作を検出すると、ステップＳ０７に進み、撮影予約の取り消し制御を行う。これに対し、レリーズボタン１５の全押し操作を検出しない場合には、ステップＳ０８に進む。
（ステップＳ０７：撮影予約取消）
制御部２０は、ステップＳ０４で受け付けた撮影予約を取り消し、後述するステップＳ１１に進む。
【００２７】
（ステップＳ０８：ＡＦ、ＡＥ、振れ補正制御）
制御部２０は、充電が完了するまでの間、すなわち撮影動作を開始する前に、予めオートフォーカス（ＡＦ）制御、自動露出（ＡＥ）制御、振れ補正制御を行う。ＡＦ制御、ＡＥ制御は、ライブビューモードでは、例えば、ミラー１２を反射位置に戻して被写体光をＡＦセンサＳ１、ＡＥセンサＳ２（図１参照）にそれぞれ導き、これらのセンサの出力に基づいて行う。
【００２８】
（ステップＳ０９：充電完了）
制御部２０は、コンデンサ１９の充電完了を検出した場合には、前述のように露出インジケータ１６ｅ（カウントダウン表示）を消灯させるとともに、発光可否マーク１６ｈ（図４（６）参照）を点灯させて、ステップＳ１０に進む。
【００２９】
（ステップＳ１０：撮影動作開始）
制御部２０は、ミラー１２、シャッタ１４、図示しない絞り機構等を制御して、被写体光を撮像部１１に対して露光する。撮像部１１は、被写体光を電気信号に変換して出力し、制御部２０は、この電気信号に基づいて画像データを生成し、図示しない記録媒体等に保存して、ステップＳ１１に進む。
【００３０】
（ステップＳ１１：撮影予約受付表示消灯）
制御部２０は、ステップＳ０５で表示部１６に表示させた撮影予約を受け付けた旨を示す表示Ｎを消灯させ、処理を終了する。
【００３１】
（ステップＳ１２〜１４：予約撮影せず）
ステップＳ０３でレリーズボタン１５の全押し操作を検出しなかった場合は、上述したステップＳ０４〜Ｓ１１の予約撮影を行わない。制御部２０は、コンデンサ１９の充電の完了を検出（ステップＳ１２）すると、これに応じて表示部１６に発光可否マーク１６ｈ（図４（６）参照）を点灯させ（ステップＳ１３）、撮影者によってレリーズ操作されるまで待機状態となる（ステップＳ１４）。
【００３２】
以上説明した第１実施形態のカメラは、以下の効果を得ることができる。
（１）カメラ１は、コンデンサ１９の充電中には撮影予約を受け付け、充電が完了するとこれに応じて撮影動作を開始するので、撮影者が発光可否マーク１６ｈの点灯を目視で確認してレリーズボタン１５を操作する場合に比べ、充電が完了してから撮影動作を開始するまでのタイムラグを短縮できる。
【００３３】
（２）充電中にレリーズボタン１５を操作して予約受付状態にしておけば、充電完了後にレリーズボタン１５を操作しなくても撮影を行うことができるので、撮影者は、構図の決定に集中することができる。また、レリーズボタン１５を操作しなくても撮影ができるので、手振れの発生も防止できる。
（３）撮影予約を受け付けた旨を表示部１６に表示して、撮影予約の完了を撮影者に告知するので、操作性が向上する。また、この告知は、スルー画像とともに表示部１６に表示されるので、フレーミング中であっても見やすい。
（４）撮影予約は、再度のレリーズボタン１５の操作によって容易に取り消すことができるので便利である。
（５）充電完了までの経過をカウントダウン表示するので、撮影者は、撮影動作が開始されるタイミングを容易に把握することができる。また、カウントダウン表示を露出値を示す露出インジケータ１６ｅを利用して表示するので、視認性に優れている。
（６）撮影動作を開始する前（充電完了前）に、予めＡＦ制御、ＡＥ制御、振れ補正制御を行うので、充電完了後に即座に撮影動作に移行することができる。
【００３４】
［第２実施形態］
次に、本発明を適用した撮影システムの実施形態を説明する。この第２実施形態において、上述した第１実施形態と同様な機能を果たす部分には、同一の符号又は末尾に統一した符号を付して、重複する説明や図面を適宜省略する。
図５は、第２実施形態の撮影システムの構成を示すブロック図である。
【００３５】
撮影システム２は、カメラ３０と、このカメラ３０に対して着脱可能に接続される外付け型スピードライト４０とを備えている。カメラ３０と外付け型スピードライト４０とは、電気通信が可能な状態で接続されている。
この撮影システム２において、カメラ３０は、第１実施形態の内蔵スピードライト１８に相当するものを備えていない（備えていてよいが使用はしない）。また、外付け型スピードライト４０の発光エネルギーを蓄電するコンデンサ４１、及び、コンデンサ４１に充電用の電力を供給するバッテリー４２は、外付け型スピードライト４０に備えられている。
【００３６】
この第２実施形態の撮影システム２において、カメラ３０に備えられた制御部５０が行う制御は、第１実施形態のカメラ１に備えられた制御部２０が行う制御と略同様である。以下、図３を参照して、制御部５０が行う制御について簡単に説明する。
【００３７】
カメラ３０に備えられた制御部５０は、外付け型スピードライト４０と通信を行ってコンデンサ４１の電圧を検出（ステップＳ０２）し、外付け型スピードライト４０に備えられた表示部４３に充電経過のカウントダウン表示を行う。表示部４３の表示画面は、図示を省略するが、第１実施形態の露出インジケータ１６ｅと同様なインジケータを表示させるとよい。
【００３８】
そして、制御部５０は、充電中にレリーズボタン１５の全押し操作を検出すると（ステップＳ０３）、これに応じて撮影予約を受け付ける（ステップＳ０４）。
また、制御部５０は、撮影予約を受け付けた旨の表示を外付け型スピードライト４０の表示部４３（告知部）に表示させ（ステップＳ０５）、コンデンサ４１の充電の完了を検出すると、これに応じて撮影動作を開始する（ステップＳ１０）。
以上説明した第２実施形態の撮影システム２も、第１実施形態のカメラ１と同様の効果を得ることができる。
【００３９】
［変形形態］
本発明は、以上説明した実施形態に限定されることなく、種々の変形や変更が可能であって、それらも本発明の技術的範囲内である。
（１）第１実施形態のカメラ１は、カメラ１に備えられたコンデンサ１９の電圧を検出して、充電の経過状態の表示、及び、撮影予約を受け付けた旨の告知を、カメラに備えられた表示部に表示したが、これに限らず、カメラ１に外付け型の照明光照射装置が装着された場合には、この外付け型の照明光照射装置に備えられたコンデンサの電圧を検出し、このコンデンサの充電の経過状態の表示、及び、撮影予約を受け付けた旨の告知を、カメラに備えられた表示部に行ってもよい。
（２）実施形態において撮影予約を受け付けた旨の告知は、表示部１６に視認可能に表示したが、これに限らず、音声等によって告知してもよい。また、告知を視認可能に表示する場合、例えば、カメラに備えられた他の表示装置に表示してもよい（例えば、専用のＬＥＤ、ランプ等を設けて表示してもよい）。さらに、表示部に表示する場合であっても、例えば、フォーカスポイントを示すフォーカスエリアＦ（図２参照）を点灯させる等してもよい。
（３）蓄電部の充電状態の経過は、実施形態では、露出値を示すインジケータを利用して表示したが、これに限らず、専用のインジケータを設けてもよい。また、充電状態の経過は、充電完了までの時間（リサイクルタイム）を数字で表示してもよい。
（４）実施形態において、入力部は、押しボタンスイッチであるレリーズスイッチであったが、これに限らず、無線入力装置（リモートコントローラ（リモコン））から発信される信号を受信するリモコン受信部であってもよい。この場合、入力部（リモコン受光部）に対する入力操作は、リモコンの操作となる。
（５）実施形態は、ミラー機構、シャッタ機構、ファインダ光学系等を備える一眼レフカメラを説明したが、本発明は、これに限らず、このような機構を備えないカメラにも適用することができる。また、実施形態のカメラは、デジタルカメラであったが、本発明のカメラは、これに限らず銀塩フィルムを用いたカメラであってもよい。
【図面の簡単な説明】
【００４０】
【図１】第１実施形態のカメラの構成を示すブロック図である。
【図２】図１に示すカメラに備えられた表示部の表示画面の一例を示す図である。
【図３】図１に示すカメラに備えられた制御部が行う撮影時の制御を示すフローチャートである。
【図４】図２に示す表示部に表示されるコンデンサの充電状態の経過の一例を示す図である。
【図５】第２実施形態の撮影システムの構成を示すブロック図である。
【符号の説明】
【００４１】
１  カメラ  ：  １５  レリーズボタン  ：  １８  内蔵スピードライト  ：  １９  コンデンサ  ：  ２０  制御部
【図１】
2009014924.tif 000003
【図２】
2009014924.tif 000004
【図３】
2009014924.tif 000005
【図４】
2009014924.tif 000006
【図５】
2009014924.tif 000007